(57)【要約】【課題】  釣竿の支持と支持の解除を迅速かつ容易にすること【解決手段】  バンド１と受具３とからなる。バンド１は一端部に受具３を設け、他端部に身体の一部に固定する留具５を備える。受具３は断面凹弧状に形成された底部３ａを有し、該底部３ａに釣竿１１を着脱自在に載置する。支点Ａ、力点Ｂ間の距離をＬ、支点Ａ、作用点Ｃ間の距離をＭ、点Ｂ、Ｃ間の距離をＮとする場合において、釣竿１１の負荷ｆが一定のとき、ｆＮ＝ｆ（Ｌ＋Ｍ）だから、肩Ａ及び竿先側の持手Ｈ１にかかる負荷は分散・軽減される。受具３は摩擦係数の大なる物質からなるため、釣竿１１の水平線に対する角度が変わっても受具３が釣竿１１上を移動することがない。よって釣竿１１の支持が安定化する。釣魚動作は適宜に釣竿１１を受具３より外すことが出来るのでバンド１の存在が邪魔にならず、また解針動作においても同様にバンド１の存在が邪魔にならない。【選択図】        図２
0003106303.tif 000002
【実用新案登録請求の範囲】
【請求項１】
バンドと受具とからなり、バンドは一端部に受具を設け、他端部に身体の一部に固定する留め具を備え、上記受具は断面凹弧状に形成された底部を有し、該底部に釣竿を着脱自在に載置することを特徴とする釣り竿支持バンド。    
【請求項２】
上記バンドの中途部に釣竿を一時支持する仮受具を設け、上記仮受具を身体の前面に配設することを特徴とする請求項１記載の釣り竿支持バンド。
【請求項３】
上記受具は摩擦係数の大なる物質からなることを特徴とする請求項１記載の釣り竿支持バンド。
【考案の詳細な説明】
【技術分野】
【０００１】
本願考案は、釣竿を支持する釣り竿支持バンドに関する。
【背景技術】
【０００２】
例えば鮎釣りにおいては、１０ｍ位ある釣竿を長時間手で支持しなくてはならない。
【０００３】
川に立って片手を前方に差し出した状態で釣竿を支持することは負荷が一点に集中するため大変に疲労する。
【０００４】
しかしながら、従来においては本願考案のように肩で釣竿を支持する装置はなかった。
【０００５】
従来知られていたのは、例えば川辺等に釣竿を固定する装置である。
【０００６】
しかし、このような装置により釣竿を支持すると、魚がかかったときに行なう釣魚動作を機敏にすることが困難であり、また魚を針から外す解針動作も容易にできないことが多く、例えば鮎釣りにおいては釣果に影響を与えていた。
【考案の開示】
【考案が解決しようとする課題】
【０００７】
本願考案は上記背景において、上記欠点を解消することを目的とし、釣竿の支持と支持の解除を迅速かつ容易にすることである。
【課題を解決するための手段】
【０００８】
上記目的達成のため、本願考案による釣り竿支持バンドは、バンドと受具とからなり、バンドは一端部に受具を設け、他端部に身体の一部に固定する留め具を備え、上記受具は断面凹弧状に形成された底部を有し、該底部に釣竿を着脱自在に載置することを特徴とする。
また、上記バンドの中途部に釣竿を一時支持する仮受具を設け、上記仮受具を身体の前面に配設することを特徴とする。
また、上記受具は摩擦係数の大なる物質からなることを特徴とする。  
【考案の効果】
【０００９】
バンドを肩にかけるとともに、留具を使用者の腰バンドに止着した状態で、開いた両手で持った釣竿を受具で支持すると、肩Ａ及び竿先側の持手Ｈ１にかかる負荷は分散・軽減される。よって、釣人の疲労が軽減される。
【００１０】
受具は摩擦係数の大なる物質からなるため、釣竿の水平線に対する角度が変わっても受具が釣竿上を移動することがない。よって釣竿の支持が安定化する。
【００１１】
魚がかかったときに行なう釣魚動作は、適宜に釣竿を受具より外すことが出来るので、バンドの存在が邪魔にならない。また、魚を針から外す解針動作においても同様にバンドの存在が邪魔にならない。よって、釣竿支持の解除が容易である。
【考案を実施するための最良の形態】
【００１２】
次に、実施の形態を示す図面に基づき本願考案による釣り竿支持バンドをさらに詳しく説明する。なお、便宜上同一の機能を奏する部分には同一の符号を付してその説明を省略する。
【００１３】
図１は本願考案による釣り竿支持バンドの実施の一形態を示す。バンド１は肩当部１Ａと、該肩当部１Ａの先端に連続する前部１Ｂと、該肩当部１Ａの後端に連続する後部１Ｃとからなる。上記前部１Ｂの先端部には受具３を設け、上記後部１Ｃの先端部には留具５を設ける。また上記肩当部１Ａの先端部には仮受具７を設ける。上記受具３は、ゴムの如き摩擦係数の大なる物質からなり、断面凹弧状に形成された底部３ａを有し、該底部３ａに釣竿１１を着脱自在に載置する。上記留具５は弧状部５ａと移動自在の舌片部５ｂとからなり、使用者の腰バンド１３に止着する。上記仮受具７は断面凹弧状乃至半円状に形成された底部７ａを有し、該底部７ａに釣竿１１を着脱自在に支持する。１１は釣竿である。
【００１４】
上記構成の釣り竿支持バンドは図２に示すようにして使用する。即ち、肩当部１Ａを使用者の肩にかけるとともに、留具５を使用者の腰バンド１３に止着する。この状態で、開いた両手Ｈ１、Ｈ２で持った釣竿１１を受具３で支持する。受具３による支持位置Ｃは竿先側の持手Ｈ１の前方とし、釣竿の基端部１１ａより７０ｃｍ位のところ、好適には８５ｃｍくらいのところとする。１０は針、１２は糸、矢印は水の流れを示す。
【００１５】
図３に示す模式図において、Ａは支点、Ｂは力点、Ｃは作用点を示す。支点Ａはバンド１の中途部で釣人の肩に当てられるところに形成され、力点Ｂはバンド１の基端部で釣人の腰バンド１３に装着されるところに形成される。図３において釣竿１１の基端部１１ａを押さえた手Ｈ２の位置は力点Ｂの近傍にあるため、Ｈ２＝Ｂとして示す。作用点Ｃはバンド１の受具３で、釣竿１１の中途部（例えば基端１１ａより８５ｃｍ位）を支持するところに形成される。
【００１６】
点Ａ、Ｂ間の距離をＬ、点Ａ、Ｃ間の距離をＭ、点Ｂ、Ｃ間の距離をＮとする場合において、釣竿１１の負荷ｆ（例えば重さ約４００ｇ）が一定のとき、
ｆＮ＝ｆ（Ｌ＋Ｍ）
だから、肩Ａ及び竿先側の持手Ｈ１にかかる負荷は分散・軽減される。よって、釣人の疲労が軽減される。
【００１７】
受具３は、ゴムの如き摩擦係数の大なる物質からなるため、釣竿１１の水平線に対する角度が変わっても（例えば手Ｈ２が動いたりして釣竿１１が多少動くときがある）受具３が釣竿１１上を移動することがない。よって釣竿１１の支持が安定化する。
【００１８】
受具３の上面は解放されているため、魚がかかったときに行なう釣魚動作は、適宜に釣竿１１を受具３より外すことが出来るので、バンド１の存在が邪魔にならない。また、魚を針から外す解針動作においても同様にバンド１の存在が邪魔にならない。よって、釣竿支持の解除が容易である。
【００１９】
図４は解針動作中の釣竿１１の支持状態を示す。釣竿１１は仮受具７にて支持固定されるので両手Ｈ１、Ｈ２が自由になり、これにより解針動作を円滑迅速に行なうことができる。
【００２０】
このように釣魚動作及び解針動作を円滑迅速に行なうことができるので、釣果時機を逸するのを防止することができる。これはとくに鮎釣りなどにおいては有効である。
【産業上の利用可能性】
【００２１】
本願考案は釣り具の付属品として活用することができる。
【図面の簡単な説明】
【００２２】
【図１】（Ａ）は本願考案による釣り竿支持バンドの実施の形態を示す概略正面図、（Ｂ）は（Ａ）のＢ部拡大図である。
【図２】本願考案による釣り竿支持バンドの使用状態を示す図である。
【図３】本願考案による釣り竿支持バンドの作用を説明する図である。
【図４】本願考案による釣り竿支持バンドの解針動作中の釣竿の状態を示す図である。
【符号の説明】
【００２３】
１    バンド
１Ａ  肩当部
１Ｂ  前部
１Ｃ  後部
３    受具
３ａ  底部
５    留具
５ａ  弧状部
５ｂ  舌片部
７    仮受具
７ａ  底部
１１  釣竿
１３  腰バンド
【図１】
0003106303.tif 000003
【図２】
0003106303.tif 000004
【図３】
0003106303.tif 000005
【図４】
0003106303.tif 000006